(57)【要約】【課題】撮像装置と録音装置とを同時に用いた場合において、撮像装置の動作と録音装置の動作とを簡易な構成で連携させて、より臨場感を向上させること。【解決手段】カメラ１００とＩＣレコーダ２００とが接続された際に、カメラ１００からＩＣレコーダ２００からカメラ１００において設定されている特殊効果処理の種類を示すデータが送信される。このデータを受けて、ＩＣレコーダ２００においては、カメラ１００の特殊効果処理に対応した音質変更処理が行われるように設定される。【選択図】図２
2011223402.tif 000002
【特許請求の範囲】
【請求項１】
受光した光を光電変換して該受光した光に基づく画像データを得る撮影動作を行う撮像部と、
前記画像データに対して画像処理を施す画像処理部と、
外部装置の装着を検知する装着検知部と、
前記外部装置の装着に応じて、前記外部装置から、前記外部装置の種類情報、前記外部装置の仕様情報、及び音声の特性情報を受信する通信部と、
前記種類情報、前記仕様情報、及び前記音声の特性情報に基づいて、前記撮像部における撮影動作の条件と前記画像処理部における画像処理の条件とを自動設定する設定部と、
を具備することを特徴とする撮像装置。
【請求項２】
前記設定部は、前記外部装置から受信された前記外部装置の種類情報、前記外部装置の仕様情報、及び前記外部装置で記録された音声の特性情報の少なくとも１つに基づいて撮影シーンを特定し、該撮影シーンの特定結果に応じて前記撮像部における撮影動作の条件と前記画像処理部における画像処理の条件とを自動設定することを特徴とする請求項１に記載の撮像装置。
【請求項３】
入力された音声を電気信号に変換して該入力された音声に基づく音声データを得る録音動作を行う集音部と、
前記音声データに対して音声処理を施す音声処理部と、
外部装置の装着を検知する装着検知部と、
前記外部装置の装着に応じて、前記外部装置から、前記外部装置で記録された画像の特性情報を受信する通信部と、
前記画像の特性情報に基づいて、前記集音部における録音動作の条件と前記音声処理部における音声処理の条件とを自動設定する設定部と、
を具備することを特徴とする録音装置。
【発明の詳細な説明】
【技術分野】
【０００１】
本発明は、互いに連携して動作する撮像装置及び録音装置に関する。
【背景技術】
【０００２】
特許文献１において、映像信号の特徴を解析することにより、音響信号の特性、例えば再生音量、スピーカの再生バランス、周波数特性、残響音の付加の有無等を実時間で制御するようにした実時間映像通信システムが提案されている。この特許文献１では、映像と音響の相乗効果により臨場感の高い映像通信が可能になる。
【先行技術文献】
【特許文献】
【０００３】
【特許文献１】特開平７−１３１７７０号公報
【発明の概要】
【発明が解決しようとする課題】
【０００４】
ここで、特許文献１の技術は単一の機器における画像と音声との連携についての提案である。これに対し、デジタルカメラ（撮像装置）やＩＣレコーダ（録音装置）等の別体となっている複数の機器を用いて画像と音声とを連携させる場合には、画像の取得と音声の取得が個別に行われるために各機器の設定が煩雑化し易い。このため、撮像装置と録音装置とが別体となっている場合には特許文献１の手法を単純に適用することは困難である。
【０００５】
本発明は、上記の事情に鑑みてなされたもので、撮像装置と録音装置とを同時に用いた場合において、撮像装置の動作と録音装置の動作とを簡易な構成で連携させて、より臨場感を向上させることが可能な撮像装置及び録音装置を提供することを目的とする。
【課題を解決するための手段】
【０００６】
上記の目的を達成するために、本発明の第１の態様の撮像装置は、受光した光を光電変換して該受光した光に基づく画像データを得る撮影動作を行う撮像部と、前記画像データに対して画像処理を施す画像処理部と、外部装置の装着を検知する装着検知部と、前記外部装置の装着に応じて、前記外部装置から、前記外部装置の種類情報、前記外部装置の仕様情報、及び音声の特性情報を受信する通信部と、前記種類情報、前記仕様情報、及び前記音声の特性情報に基づいて、前記撮像部における撮影動作の条件と前記画像処理部における画像処理の条件とを自動設定する設定部と、を具備することを特徴とする。
【０００７】
上記の目的を達成するために、本発明の第２の態様の録音装置は、入力された音声を電気信号に変換して該入力された音声に基づく音声データを得る録音動作を行う集音部と、前記音声データに対して音声処理を施す音声処理部と、外部装置の装着を検知する装着検知部と、前記外部装置の装着に応じて、前記外部装置から、前記外部装置で記録された画像の特性情報を受信する通信部と、前記画像の特性情報に基づいて、前記集音部における録音動作の条件と前記音声処理部における音声処理の条件とを自動設定する設定部と、を具備することを特徴とする。
【発明の効果】
【０００８】
本発明によれば、撮像装置と録音装置とを同時に用いた場合において、撮像装置の動作と録音装置の動作とを簡易な構成で連携させて、より臨場感を向上させることが可能な撮像装置及び録音装置を提供することが可能となる。
【図面の簡単な説明】
【０００９】
【図１】本発明の一実施形態に係る画像音声記録システムの構成を示すブロック図。
【図２】本発明の一実施形態に係る画像音声記録システムの動作の概要を示す図。
【図３】（ａ）はカメラの特殊効果処理モードとＩＣレコーダの音質設定との対応付け情報の一例を示す図、（ｂ）は音声判断データとカメラの動作条件設定との対応付け情報の一例を示す図、（ｃ）はカメラが単独で使用される場合の撮影モードの一例を示す図、（ｄ）はカメラが単独で使用される場合の特殊効果処理モードの一例を示す図、（ｅ）はＩＣレコーダが単独で使用される場合の録音モードの一例を示す図、（ｆ）はＩＣレコーダが単独で使用される場合の音質変更処理モードの一例を示す図。
【発明を実施するための形態】
【００１０】
以下、図面を参照して本発明の実施形態を説明する。  
図１は、本発明の一実施形態に係る画像音声記録システムの構成を示すブロック図である。図１に示す画像音声記録システムは、撮像装置（カメラ）１００と、録音装置（ＩＣレコーダ）２００とを有している。カメラ１００とＩＣレコーダ２００とは互いに通信自在に接続されている。ここで、本実施形態では、カメラ１００とＩＣレコーダ２００との通信時において、カメラ１００からの制御に従ってＩＣレコーダ２００の動作が制御される例について説明する。しかしながら、逆にＩＣレコーダ２００からの制御に従ってカメラ１００の動作が制御される構成であっても良い。
【００１１】
撮像装置１００は、レンズ１０１と、絞り１０２と、撮像素子１０３と、撮像回路１０４と、Ａ/Ｄ変換部１０５と、バス１０６と、フレームメモリ１０７と、画像処理部１０８と、圧縮伸長処理部１０９と、記録媒体１１０と、表示部１１１と、ＣＰＵ１１２と、操作部１１３と、内蔵メモリ１１４と、顔検出部１１５と、通信インターフェース（Ｉ/Ｆ）部１１６と、外部コネクタ１１７と、を有している。
【００１２】
レンズ１０１は、図示しない被写体の光学像を撮像素子１０３に集光させる。このレンズ１０１は、ＣＰＵ１１２の制御に従って、光軸の方向に沿って駆動可能に構成されている。レンズ１０１を光軸方向に沿って駆動させることでレンズ１０１の焦点位置を調整する。絞り１０２は、レンズ１０１の近傍に設けられている。絞り１０２は、レンズ１０１から撮像素子１０３への光の入射量を調節する。撮像素子１０３は、フォトダイオード等の光電変換素子からなる画素が２次元に配された受光面を有し、この受光面により、レンズ１０１により集光された光を電気信号（画像信号）に変換する。撮像回路１０４は、撮像素子１０３からの画像信号に対して相関二重サンプリング（ＣＤＳ）処理やゲイン制御（ＡＧＣ）処理等の種々のアナログ処理を施す。アナログ/デジタル（Ａ/Ｄ）変換部１０５は、撮像回路１０４においてアナログ処理された画像信号をデジタルの画像信号（画像データ）に変換する。レンズ１０１、絞り１０２、撮像素子１０３、撮像回路１０４、Ａ/Ｄ変換部１０５により撮像部の機能が実現される。
【００１３】
バス１０６は、撮像装置の内部で発生した各種データを撮像装置内の各ブロックに転送するための転送路である。フレームメモリ１０７は、Ａ/Ｄ変換部１０５において得られた画像データや、画像処理部１０８、圧縮伸長処理部１０９において処理された画像データ等の各種データを一時的に記憶する。画像処理部１０８は、ホワイトバランス補正処理回路や各種の特殊効果処理回路等を有し、フレームメモリ１０７に格納された画像データに対して各種の画像処理を施す。圧縮伸長処理部１０９は、画像データの記録時には、画像処理部１０８において処理された画像データを例えばＪＰＥＧ方式に従って圧縮する。さらに、圧縮伸長処理部１０９は、画像データの再生時には、記録媒体１１０に記録された圧縮済みの画像データを伸長することも行う。記録媒体１１０は、例えば撮像装置に着脱可能なメモリカードからなる記録媒体であり、圧縮伸長処理部１０９において圧縮された画像データ等が記録される。表示部１１１は、例えば液晶ディスプレイであり、各種の画像を表示する。
【００１４】
ＣＰＵ１１２は、絞り１０２の開放量の制御と撮像素子１０３の露出時間の制御や、レンズ１０１の駆動制御、表示部１１１の動作制御等の、カメラ１００の各種シーケンスを統括的に制御する。操作部１１３は、ユーザがカメラ１００を操作するための各種の操作部材である。内蔵メモリ１１４は、カメラ１００の動作に必要な各種パラメータを記憶している。また、内蔵メモリ１１４は、ＣＰＵ１１２にて実行する各種プログラムも記憶している。ここで、本実施形態における内蔵メモリ１１４は、ＩＣレコーダ２００による音声判断データから撮影シーンをより詳しく特定し、特定した撮影シーンに応じた動作条件を設定するための対応付け情報も記憶している。
【００１５】
顔検出部１１５は、撮像素子１０３を介して得られる画像データから、撮影時の主要被写体である人物の顔領域を検出する。顔の検出は、例えば顔の特徴を示す部分（目や鼻、口等）を画像データ中から検出することで行う。また、顔検出部１１５を用いて人物が笑顔であるか否かの判断も行うことができる。ＣＰＵ１１２は、顔検出部１１５によって検出された顔の特徴を、笑顔時の人物の特徴と照合することで人物が笑顔であるか否かを判断する。
【００１６】
通信インターフェース（Ｉ/Ｆ）部１１６は、カメラ１００が外部装置（本実施形態ではＩＣレコーダ２００）と通信するためのインターフェースである。通信Ｉ/Ｆ部１１６は、電源線Ｖｃｃと、グランド線ＧＮＤと、録音制御信号線ＭＩＣと、データ線Ｄａｔａと、装着検出線ＥＮと、クロック信号線ＣＬＫとを有している。電源線Ｖｃｃは例えばカメラ１００からＩＣレコーダ２００に電源電圧を供給するための信号線である。グランド線ＧＮＤは各信号の基準電位となるグランド信号を例えばカメラ１００からＩＣレコーダ２００に供給するための信号線である。録音制御信号線ＭＩＣはＩＣレコーダ２００の録音動作を制御するための録音制御信号を送信するための信号線である。データ線Ｄａｔａはカメラ１００とＩＣレコーダ２００との間で各種のデータを通信するための信号線である。装着検出線ＥＮは、カメラ１００とＩＣレコーダ２００との通信接続がなされたか否かを検出するための装着検出信号を通信するための信号線である。クロック信号線ＣＬＫはデータ通信時等における同期クロックを送信するための信号線である。通信Ｉ/Ｆ部１１６によって通信部及び装着検知部の機能が実現される。外部コネクタ１１７は、通信Ｉ/Ｆ部１１６の各信号線をＩＣレコーダ２００の各信号線と接続するためのコネクタである。
【００１７】
ＩＣレコーダ２００は、マイクロホン（マイク）２０１と、プリアンプ２０２と、コーデック（Coder-Decoder：ＣＯＤＥＣ）２０３と、デジタル信号処理部（Digital Signal Processor：ＤＳＰ）２０４と、スピーカ２０５と、ＣＰＵ２０６と、操作部２０７と、内蔵メモリ２０８と、通信Ｉ/Ｆ部２０９と、外部コネクタ２１０と、を有している。
【００１８】
マイク２０１は、入力された音声を電気信号（音声信号）に変換する。プリアンプ２０２は、マイク２０１から入力された音声信号を所定の増幅率でもって増幅する。ＣＯＤＥＣ２０３は、音声データの記録時にはプリアンプ２０２から入力された音声信号をデジタル信号（音声データ）に変換してＤＳＰ２０４に出力する。また、ＣＯＤＥＣ２０３は、音声データの再生時にはＤＳＰ２０４から入力される音声データをアナログの音声信号に変換してスピーカ２０５に出力する。マイク２０１、プリアンプ２０２、ＣＯＤＥＣ２０３により集音部としての機能が実現される。
【００１９】
音声処理部としての機能を有するＤＳＰ２０４は、音声データの記録時には、ＣＯＤＥＣ２０３から入力された音声データに対して必要に応じて音質変更処理等の音声処理を施した後、処理後の音声データを所定のフォーマットに従って圧縮し、圧縮データを生成する。逆に、ＤＳＰ２０４は、音声データの再生時には、例えば内蔵メモリ２０８に記録された圧縮データを所定の伸長し、伸長により得られた音声データをＣＯＤＥＣ２０３に出力する。また、ＤＳＰ２０４は、入力された音声データの特性から音声の発話者（人物の場合）の年齢や性別を判断したり、感情の特定を判断したりすることも行う。なお、音声データの特性から年齢や性別を判断するための技術としては、例えば特開２００１−５４８７号公報に開示されている技術を適用することができる。また、音声データの特性から感情を判断するための技術としては、例えば特開２００３−１６２２９４号公報に開示されている技術を適用することができる。
【００２０】
スピーカ２０５は、音声データの再生時においてＣＯＤＥＣ２０３において復元された音声信号に基づく音声を再生する。
ＣＰＵ２０６は、プリアンプ２０２の増幅率の制御やＤＳＰ２０４の制御等の、ＩＣレコーダ２００の各種シーケンスを統括的に制御する。操作部２０７は、ユーザがＩＣレコーダ２００を操作するための各種の操作部材である。内蔵メモリ２０８は、ＤＳＰ２０４において生成された圧縮データ等が記録される。また、内蔵メモリ２０８はＩＣレコーダ２００の動作に必要な各種パラメータやＣＰＵ２０６にて実行する各種プログラムも記憶している。ここで、本実施形態における内蔵メモリ２０８は、カメラ１００の特殊効果処理モード（撮影により得られた画像データにどのような特殊効果処理を施すかを設定するためのモード）と録音時の音質設定（録音により得られた音声データにどのような音質変更処理を施すかを設定するためのモード）とを対応付けるための情報も記憶している。
【００２１】
通信インターフェース（Ｉ/Ｆ）部２０９はＩＣレコーダ２００が外部装置（本実施形態ではカメラ１００）と通信するためのインターフェースである。通信Ｉ/Ｆ部２０９は、通信Ｉ/Ｆ部１１６と同様の電源線Ｖｃｃと、グランド線ＧＮＤと、録音制御信号線ＭＩＣと、データ線Ｄａｔａと、装着検出線ＥＮと、クロック信号線ＣＬＫとを有している。通信Ｉ/Ｆ部２０９によって通信部及び装着検知部の機能が実現される。外部コネクタ２１０は、通信Ｉ/Ｆ部２０９の各信号線をカメラ１００の各信号線と接続するためのコネクタである。
【００２２】
以下、図１に示す画像音声記録システムの動作について説明する。ここで、カメラ１００とＩＣレコーダ２００とはそれぞれが単独で動作が可能なものである。しかしながら、以下の説明ではカメラ１００とＩＣレコーダ２００とが通信可能に接続されたときの動作を中心に説明する。
【００２３】
本実施形態においては、カメラ１００とＩＣレコーダ２００とが通信可能に接続されたときに、カメラ１００の動作条件（特に撮影モード設定や特殊効果処理モード設定）とＩＣレコーダ２００の動作条件（特に音質変更処理モード設定）との何れかを自動設定する。ここで、カメラ１００の動作条件を自動設定するか、ＩＣレコーダ２００の動作条件を自動設定するかは、例えばカメラ１００において設定できるものである。例えば、カメラ１００の表示部１１１に表示されるメニュー画面上でユーザが操作部１１３を操作することでこのような設定を行うことができる。この他、メニュー画面上において特殊効果処理の設定や撮影モードの設定等を行えるようにしても良い。
【００２４】
図２（ａ）はＩＣレコーダ２００の動作条件を自動設定する例である。カメラ１００とＩＣレコーダ２００とが接続されたときには、装着検出線ＥＮを介してカメラ１００から所定時間毎に出力される装着検出信号がＩＣレコーダ２００において受信される（図２（ａ）の（１））。ＩＣレコーダ２００において装着検出信号が受信されると、ＩＣレコーダ２００の特性データが、ＩＣレコーダ２００からカメラ１００にデータ線Ｄａｔａを介して送信される（図２（ａ）の（２））。ＩＣレコーダ２００の特性データとしては、例えばＩＣレコーダ２００の種類（機種情報）を識別するためのＩＤデータ、ＩＣレコーダ２００の仕様（周波数特性、マイク仕様、指向性、通信仕様、バージョン情報等）を識別するための各種データが含まれる。ＩＣレコーダ２００の特性データが受信されることによって、カメラ１００においてＩＣレコーダ２００の接続が認識される。カメラ１００においてＩＣレコーダ２００の接続が認識されると、カメラ１００において現在設定されている特殊効果処理モードの種類を示すデータが、カメラ１００からＩＣレコーダ２００にデータ線Ｄａｔａを介して送信される（図２（ａ）の（３））。特殊効果処理モードの種類を示すデータが受信されると、ＩＣレコーダ２００において録音モードが自動設定される。
【００２５】
図３（ａ）は、カメラ１００の特殊効果処理モードとＩＣレコーダ２００の音質設定との対応付け情報の一例を示す図である。上述したように、図３（ａ）の対応付け情報は内蔵メモリ２０８に記憶されている。カメラ１００から特殊効果処理モードの種類を示すデータが送信された場合に、設定部としての機能を有するＣＰＵ２０６は内蔵メモリ２０８に記憶されている情報を参照して、カメラ１００の特殊効果処理モードに対応した音質変更処理モードの設定を行う。
【００２６】
ここで、特殊効果処理モードに対応した音質変更処理モードの設定について説明する。特殊効果処理モード時は、例えば撮影した動画と音声を同時又は個別に特殊効果処理された画像及び音声として再生する。特殊効果処理モードの「ノーマル」は特殊効果処理を施さないモードである。この場合には、音質変更処理モードも「ノーマル」に設定して音質変更処理を施さないようにする。または、シーン判断をしてそのシーン判断結果に応じた音質変更処理を行うようにしても良い。特殊効果処理モードの「ラフモノクローム」は画像データのモノクロ化（白黒化）処理を施しつつ画像データのノイズを強調する処理を行うモードである。この場合には、音質変更処理モードを「トーキー」とする。「トーキー」は入力音声データのノイズを強調する処理を施すモードである。これにより、往年の白黒映画のような画像及び音声の再生が可能となる。特殊効果処理モードの「ファンタジー」は画像データに対して例えばローパスフィルタ処理等を施すことによって画像をぼかし、画像のファンタジー感を強調するモードである。この場合には、音質変更処理モードを「マイルド」とする。「マイルド」は入力音声データの高周波成分を除去する処理を施してしてソフトな音声を再生可能とするモードである。これにより、画像のファンタジー感をより強調した音声の再生が可能となる。特殊効果処理モードの「ミニチュア」は画像データの周辺部のフォーカスをぼかしてジオラマ写真のような画像を得るための加工処理を施すモードである。この場合には、音質変更処理モードを「アニメ」とする。「アニメ」は入力音声データに対するトーン変更処理を行うモードである。このようにしてミニチュア被写体と対応した音声の再生を行うことができる。特殊効果処理モードの「ポップ」は画像データのコントラストを強調する処理を施すモードである。この場合には、音質変更処理モードを「テクノ」とする。「テクノ」は入力音声データを電子音声化する加工処理を施すモードである。特殊効果処理モードの「ハナデカ」はマクロ撮影を行ったかのように画像データを加工する処理を施すモードである。この場合には、音質変更処理モードを「位置連動」とする。位置連動は、拡大位置に応じて音量の強調等を行うモードである。
【００２７】
ここで、ＩＣレコーダ２００の仕様によっては、図３（ａ）に示した音質変更処理モードの全てを有していない場合があり得る。その場合には、例えばカメラ１００からの特殊効果処理モードを示すデータの送信を行わない。一方で、例えばカメラ１００の表示部１１１に警告表示等を行うことが望ましい。
【００２８】
以上のような自動設定が行われた後、カメラ１００の撮影動作に連動して録音制御信号が録音制御信号線ＭＩＣを介してＩＣレコーダ２００に送信され、ＩＣレコーダ２００による録音動作が実行される。このとき、カメラ１００においては、撮像素子１０３を介して得られた画像データに対して、予め設定された特殊効果処理が画像処理部１０８において施される。その後、画像処理部１０８において処理された画像データが圧縮伸長処理部１０９で圧縮された後、記録媒体１１０に記録される。一方、ＩＣレコーダ２００においては、マイク２０１を介して得られた音声データに対して、カメラ１００の特殊効果処理モードに応じて設定された音質変更処理がＤＳＰ２０４において施される。その後、音質変更処理が施された音声データが圧縮された後、内蔵メモリ２０８に記録される。このようにして、カメラ１００で撮影される画像とＩＣレコーダ２００で録音される音声とを対応させることが可能となる。
【００２９】
ここで、図２（ａ）の例では、カメラ１００で設定された特殊効果処理モードに応じてＩＣレコーダ２００の音質変更処理モードを自動設定している。これに対し、ＩＣレコーダ２００の音質変更処理モードに応じてカメラ１００の特殊効果処理モードを自動設定するようにしても良い。この場合には、図３（ａ）に示した情報をカメラ１００側に持たせておく必要がある。
【００３０】
図２（ｂ）はカメラ１００の動作条件モードを自動設定する例である。図２（ａ）の例と同様に、カメラ１００とＩＣレコーダ２００とが接続されたときには、装着検出線ＥＮを介して装着検出信号がＩＣレコーダ２００において受信される（図２（ｂ）の（１））。ＩＣレコーダ２００において装着検出信号が受信されると、ＩＣレコーダ２００の特性データが、ＩＣレコーダ２００からカメラ１００にデータ線Ｄａｔａを介して送信される（図２（ｂ）では図示を省略している）。ＩＣレコーダ２００の特性データが受信されることによって、カメラ１００においてＩＣレコーダ２００の接続が認識される。カメラ１００においてＩＣレコーダ２００の接続が認識されると、カメラ１００において現在設定されている撮影モードの種類を示すデータが、カメラ１００からＩＣレコーダ２００にデータ線Ｄａｔａを介して送信される（図２（ｂ）の（２））。なお、（２）の処理は省略しても良い。その後、ＩＣレコーダ２００における音声判断の結果を示す音声判断データが特性情報として、ＩＣレコーダ２００からカメラ１００にデータ線Ｄａｔａを介して送信される（図２（ｂ）の（３））。ここで、カメラ１００から撮影モードの種類を示すデータが送信された場合には、この撮影モードも考慮して音声判断を行うことが望ましい。この場合、撮影モードの種類に応じて音質変更処理を施すことがより望ましい。さらに、音声判断データは、感情の変化が検出される毎に逐次送信することが望ましい。音声判断データが受信されると、カメラ１００において撮影シーンに応じた設定が自動的になされる。
【００３１】
図３（ｂ）は、音声判断データとカメラ１００の動作条件設定との対応付け情報の一例を示す図である。図３（ｂ）の対応付け情報は内蔵メモリ１１４に記憶されている。ＩＣレコーダ２００から音声判断データが送信された場合に、設定部としての機能を有するＣＰＵ１１２は、内蔵メモリ１１４に記憶されている情報を参照して、ＩＣレコーダ２００の音声判断データによって特定された撮影シーンに応じた設定を行う。
【００３２】
例えば、顔検出部１１５で検出された顔の特徴から人物が笑顔であると判断されており且つ音声判断データによって発話者の年齢が若いと判断された場合、或いは撮影モードが「ポートレート」に設定されており且つ音声判断データによって発話者の年齢が若いと判断されていた場合には、「チャイルド」の設定を行う。この場合には、例えば「ファンタジー」と同様の特殊効果処理を行うようにしたり、キャッチライト加工を施したりする等の子供の撮影に適した処理を施す。顔検出部１１５で検出された顔の特徴から人物が笑顔であると判断されており且つ音声判断データによって発話者の年齢が若くないと判断された場合、或いは撮影モードが「ポートレート」に設定されており且つ音声判断データによって発話者の年齢が若くないと判断されていた場合には、「エイジング」の設定を行う。この場合には、例えば顔のしわを消す等の壮年の人物の撮影に適した処理を施す。顔検出部１１５で検出された顔の特徴から人物が笑顔であると判断されており且つ音声判断データによって発話者の性別が女性であると判断された場合、或いは撮影モードが「ポートレート」に設定されており且つ音声判断データによって発話者の性別が女性であると判断されていた場合には、「美顔」の設定を行う。この場合には、例えば肌の色を白くしたり、目もとを補正したりする等の女性の撮影に適した処理を施す。音声判断データによって発話者の性別が男性であると判断された場合には「美顔」の設定は行わない。顔検出部１１５で検出された顔の特徴から人物が笑顔であると判断されており且つ音声判断データによって発話者の感情が暗い感情と判断された場合、或いは撮影モードが「ポートレート」に設定されており且つ音声判断データによって発話者の感情が暗い感情と判断されていた場合には、「ＡＥ−」の設定を行う。この場合には、撮影時に得られた画像データの露出（明るさ）を適正露光よりもアンダーとして、暗い感情が強調されるようにする。音声判断データによって発話者の感情が明るい感情と判断された場合には「ＡＥ−」の設定は行わない。
【００３３】
以上のような自動設定が行われた後、カメラ１００の撮影動作に連動してＩＣレコーダ２００の録音動作が実行される。このとき、カメラ１００は撮影シーンに応じた設定で動作する。
以上がカメラ１００とＩＣレコーダ２００とが接続されたときの動作である。カメラ１００が単独で使用される場合には、撮影モードを図３（ｃ）に示した３種類の中からユーザが設定でき、特殊効果処理モードを図３（ｂ）に示した２種類の中から設定できる。図３（ｃ）に示す「オート」は自動でカメラ１００がシーン判断を行うモードである。「ガイド」は各撮影モードの解説等が表示部１１１に表示された状態で撮影モードの設定を手動で行えるようにしたモードである。「マニュアル」は撮影モードの解説等の解説なしで撮影モードの設定を手動で行えるようにしたモードである。図３（ｄ）に示す「ノーマル」は特殊効果処理を施さないモードである。「特殊効果選択」は、特殊効果の設定を手動で行えるようにしたモードである。また、ＩＣレコーダ２００が単独で使用される場合には、録音モードを図３（ｅ）に示した２種類の中からユーザが設定でき、音質変更処理モードを図３（ｆ）に示した２種類の中から設定できる。図３（ｅ）に示す「オート」は例えば一定レベルの音量を有する音声が入力されているときのみ録音を行うモードである。「マニュアル」は録音の開始指示と終了指示を手動で行えるようにしたモードである。図３（ｅ）に示す「ノーマル」は音質変更処理を施さないモードである。「イコライザ選択」は、音質変更処理の設定を手動で行えるようにしたモードである。
【００３４】
以上説明したように、本実施形態によればカメラ１００とＩＣレコーダ２００とが通信可能に接続された際に、カメラ１００の特殊効果処理モードを示すデータ又は音声判断データを通信するようにしている。そして、カメラ１００からＩＣレコーダ２００に特殊効果処理モードを示すデータが送信された場合には、その情報に応じて音質変更処理モードを自動設定している。また、ＩＣレコーダ２００からカメラ１００に音声判断データが送信された場合には、その情報に応じて撮影シーンのより詳しい特定を行い、特定した結果に応じて動作条件の設定している。これにより、カメラ１００の動作とＩＣレコーダ２００との動作を簡易に連携させて画像と音声を記録することができ、画像と音声の再生時により臨場感を高めることが可能となる。
【００３５】
以上実施形態に基づいて本発明を説明したが、本発明は上述した実施形態に限定されるものではなく、本発明の要旨の範囲内で種々の変形や応用が可能なことは勿論である。例えば、図３（ａ）で示した特殊効果処理モードと音質変更処理モードとの対応や図３（ｂ）で示した音声判断データとカメラの動作設定との対応は一例であって、図３（ａ）や図３（ｂ）に示したものに限定されるものではない。
【符号の説明】
【００３６】
１００…撮像装置（カメラ）、１０１…レンズ、１０３…撮像素子、１０４…撮像回路、１０５…アナログ/デジタル（Ａ/Ｄ）変換部、１０６…バス、１０７…フレームメモリ、１０８…画像処理部、１０９…圧縮伸長処理部、１１０…記録媒体、１１１…表示部、１１２…ＣＰＵ、１１３…操作部、１１４…内蔵メモリ、１１５…顔検出部、１１６…通信インターフェース（Ｉ/Ｆ）部、１１７…外部コネクタ、２００…録音装置（ＩＣレコーダ）、２０１…マイクロホン（マイク）、２０２…プリアンプ、２０３…コーデック（ＣＯＤＥＣ）、２０４…デジタル信号処理部（ＤＳＰ）、２０５…スピーカ、２０６…ＣＰＵ、２０７…操作部、２０８…内蔵メモリ、２０９…通信インターフェース（Ｉ/Ｆ）部、２１０…外部コネクタ
【図１】
2011223402.tif 000003
【図２】
2011223402.tif 000004
【図３】
2011223402.tif 000005